(57)【要約】  【課題】大きくて重量のある「誕生こけし」を如何に携行容易に構成するか、を明らかにすることを課題とする。  【構成】誕生を記念して製作された誕生こけしとの間が、共感呪術の法則が機能する要因（紐帯）により結び付けられている携行小物であり、当該誕生こけしから取り外して当該誕生こけしの所有者（保持者）が携行することが可能である携行小物を持つことを特徴とする通常携行することが困難である高さ及び又は重さを有する同行する誕生こけしである。【選択図】      図１
2006026062.tif 000002
【特許請求の範囲】
【請求項１】
誕生を記念して製作された誕生こけしとの間が、共感呪術の法則が機能する要因（紐帯）により結び付けられている携行小物であり、当該誕生こけしから取り外して当該誕生こけしの所有者（保持者）が携行することが可能である携行小物を持つことを特徴とする通常携行することが困難である高さ及び又は重さを有する同行する誕生こけし。
【請求項２】
「通常携行することが困難である高さ及び又は重さを有する同行する誕生こけし」が、「大きさが、出生時の身長にほゞ等しく設定されているこけし」「重さが、出生時の体重にほゞ等しく設定されているこけし」「大きさが、出生時の身長にほゞ等しく、且つ、重さが、出生時の体重にほゞ等しく設定されているこけし」、「出生時の身長及び／又は体重にほゞ等しくは設定されてはいないが、通常サイズのこけしよりも（携行が困難な程に）３０ｃｍ以上の高さ及び／又は３ｋｇ以上の重さに設定されているこけし」であり、フレーザーの云う共感呪術の法則が機能する要因（紐帯）においてこけしの所有者（保持者）と結び付けられたこけしであることを特徴とする請求項１に記載の同行する誕生こけし。
【請求項３】
携行小物が、巾着などの袋物（容器）であり、共感呪術の法則が機能する要因（紐帯）が収納されているものであることを特徴とする請求項１又は２に記載の同行する誕生こけし。
【請求項４】
共感呪術の法則が機能する要因（紐帯）が、当該誕生こけしの写真、ミニチュアであることを特徴とする請求項１〜３のいずれかに記載の同行する誕生こけし。
【請求項５】
携行小物が、携帯電話のストラップないし根付として構成されていることを特徴とする請求項１〜４のいずれかに記載の同行する誕生こけし。
【発明の詳細な説明】
【技術分野】
【０００１】
本発明は、誕生を記念して製作された所謂「誕生こけし」に関する。更に詳しくは、通常携行することが困難である高さ及び又は重さを有する「誕生こけし」を、小さな巾着などの袋物や小容器、その他携行が容易である小物である携行小物に対して、フレーザーの云う共感呪術的要因において結び付け、通常携行することが困難である「誕生こけし」を常に同行させること、常に身辺に追随させることに違和感がなく、言わば「同行する誕生こけし」とすることができる構成に関する。
【０００２】
この明細書において、「誕生こけし」とは、フレーザーの云う共感呪術の原理（非特許文献１参照）により、保持者（こけしの所有者）と結び付けられた「こけし」であるが、共感呪術の法則が機能する要因（紐帯）としては、フレーザーが挙げている例、例えば、「臍の緒又は後産或いはこれらの１部」に限定されるのではなく、「（誕生時の）写真、爪、体毛、頭髪（の１部）」、更には、「誕生時の身長、体重、日付、場所（誕生地）、父母名、贈り主名、及びこれらの１部又は幾つかの組み合わせ」などを列挙することができる。
【０００３】
従って、厳格な意味での「誕生こけし」は、「臍の緒又は後産或いはこれらの１部」を収納した形の「こけし」であるが、「誕生時の写真」を収納したもの、「誕生時の身長、体重など」を外表面に表示したもの、「長さを誕生時の身長に一致させ、重さを誕生時の体重に一致させたもの」など、共感呪術の法則が機能する要因（紐帯）において、所有者（保持者）との連続性（１体性）が認められる「こけし」がこの明細書における「誕生こけし」である。
【０００４】
また、この明細書でいう「誕生こけし」であるかどうかは、製作者に由来する違い、外形上の特徴或いは製作地などを基準とするこけしの分類など（非特許文献２参照）によって左右されるものではない。従って、上記したように、共感呪術の法則が機能する要因（物）において、所有者（保持者）との連続性（１体性）が認められる「こけし」であれば、製作者や製作地或いは外形的特徴などに違いがあっても「誕生こけし」足り得る。
【０００５】
上記した定義と後述する本発明の課題に照らせば、「大きさが、出生時の身長にほゞ等しく設定されているこけし」「重さが、出生時の体重にほゞ等しく設定されているこけし」「大きさが、出生時の身長にほゞ等しく、且つ、重さが、出生時の体重にほゞ等しく設定されているこけし」、「出生時の身長及び／又は体重にほゞ等しくは設定されてはいないが、通常サイズのこけしよりも（携行が困難な程に）高く（大きく）及び／又は重く設定されているこけしであり、フレーザーの云う共感呪術の法則が機能する要因（物）において保持者（こけしの所有者）と結び付けられたこけし」が本発明の対象とする「誕生こけし」である。
【０００６】
従って、「誕生こけし」の範疇に属するものであっても、小さくて軽く設定されており携行することが容易であるものは、本発明の対象ではない。
【背景技術】
【０００７】
特許文献１には、こけし等に臍の緒を添加し誕生場所又は誕生年月日等を表示する構成の誕生こけしが開示されている。この誕生こけしは、言わばこけし形のへその緒入れ容器に過ぎない。
【０００８】
特許文献２に示されているこけしは、  「おしんこけし（登録商標）」を、高さ（身長）と重さ（体重）において新生児の実物大に形成した「誕生こけし」として表現したものであり、本発明者の１人である伊豆護の発明に係るこけしである。開示されている内容は、「頭部、顔部、首部及び胴体部を有するこけしにおいて、該こけしの高さが新生児の誕生時の身長と実質的に同一であり、且つ該こけしの重さが前記新生児の体重と実質的に同一であり、さらに前記胴体部の裏面に新生児の姓名、誕生日、誕生時の身長及び体重並びに送主の各表示部が設けられている」構成である。
【０００９】
特許文献３には、巾着の本体部分の外形を人形の顔、鼻、口、手足等で表現したぬいぐるみ巾着袋が開示されている。
【００１０】
特許文献４には、こけし等の人形の胴体を空洞に形成し、お守りや仏像画等を収納する構成が開示されている。尚、仏像の内部を空洞に形成し、経文などを収納することは、仏教の日本への（公式）伝来以前から既に行われている技術である。
【００１１】
特許文献５には、人形本体内の空洞内に書き付け紙や物或いは貴重品等を封入し、取り出し困難な秘密物入れ人形とする構成が開示されている。
【特許文献１】実開昭５２−１３２６８５号公報
【特許文献２】特公平６−６１３９２号公報
【特許文献３】第３００７１７５号登録実用新案公報
【特許文献４】第３０５０７４０号登録実用新案公報
【特許文献５】第２８５１８３８号特許公報
【非特許文献１】フレイザー著「金枝篇（一）」岩波書店刊・岩波文庫（白２１６−１）
【非特許文献２】泉幽香著／こけし譚歌カンタータ＜山の生地師＞  講談社刊「梅棹忠夫編・民俗学の旅」所収
【非特許文献３】宗左近著「縄文物語」新潮社刊
【発明の開示】
【発明が解決しようとする課題】
【００１２】
本発明者の１人「伊豆  護」は、特許文献２に示した「誕生こけしの製造方法及び誕生こけし」の発明者であり、山形県尾花市銀山温泉において「誕生おしんこけし（“おしんこけし”は登録商標）」の製造販売を永らく行っている者であるが、前述したフレイザーによる共感呪術的要因（物）として、「赤ちゃんの名前、誕生日、生まれた時の体重、生まれた時の身長、贈り主名、その他のメッセージ」を採用し、特に、「こけし」の高さと重さを、「生まれた時の身長と体重」に一致させたところに特徴がある。
【００１３】
「生まれた時の体重」は、未熟児として認定される２ｋｇ以下から巨大といえる４ｋｇまで様々であるが、一般的には、出生児の平均体重は３ｋｇ、平均身長は５０ｃｍとみられる。２０００年９月に１４６の病院、４０９４人の生後１カ月の赤ちゃんを対象に実施した調査に基づいて、日本の厚生労働省が発表したところによると、赤ちゃんの平均体重は、男が３．０４ｋｇで１０年前の１９９０年より０．１１ｋｇ減、女が２．９６ｋｇで０．１０ｋｇ減、また平均身長は、男が４９ｃｍで女が４８．４ｃｍ、１０年前よりそれぞれ０．６ｃｍと０．５ｃｍ低くなっていた、とのことであり、日本の妊娠中の女性の喫煙率は、１９９０年には５．６％だったが、２０００年には１０％に跳ね上がっていることが指摘されている。
【００１４】
上記した出生時の平均身長５０ｃｍ、平均体重３ｋｇに設定して「誕生こけし」を形成するとかなり巨大であり、持ち運ぶことは困難であるから、しかるべきところに安置しておかざるを得ないこととなる。しかるところ、「誕生こけし」は、度重ねて云うように、所有者（保持者）と「こけし」とが、フレイザーによる共感呪術的要因（物）により連続性（１体性）を持つものであり、本来であれば身体に密着して保持していることが理想であるが、その大きさと重さとが障害となり、携行することにはなじまないものとなっている。
【００１５】
非特許文献３の中で、宗左近氏は、（１）大分県清川村・岩戸遺跡出土「コケシ形石偶」、（２）野尻湖出土（２６０００年前頃と推定）「ビーナス」、（３）シベリア・マリタ出土（旧石器時代と推定）「象牙製ビーナス」、（４）三角柱岩偶（縄文晩期、宮城県出土、宗氏所蔵品）などを示し、特に最後に挙げた例は、三角柱状の岩（石）の一側端の近くを首の如くに細く形成して、頭部と胴部に表わした小さな岩偶であり、頭部に目、鼻、口の表現なく、胴部に手足の表現もないが、「湯殿山の御神体のミニチュア」に見立て、「後世の念持仏の如く、念持祖先神として身に付けて持ち歩いたのでしょうか」としており、本来の「こけし」が呪術に関わるものとして「所持するものであること」を示唆している。
【００１６】
また、四国４８箇所巡りのお遍路さんが「同行二人」としているのは、例え１人での巡礼でも常に弘法大師様が一緒におられるから「同行二人」なのであり、「同行する誕生こけし」にあっては、当該誕生こけしとの間に共感呪術的要因（紐帯）により連続性（１体性）を持つ携行小物を携行することによって、当該誕生こけしと物理的には離間した関係にあっても、呪術的に云えば、当該誕生こけしは携行小物を携行している人に常に「同行」しているのである。
【００１７】
上記から自明なように、本発明は、大きくて重量のある「誕生こけし」を如何に携行容易に構成するか、を明らかにすることを課題とするものである。
【課題を解決するための手段】
【００１８】
上記課題を解決する本発明は、下記構成を有する。
１．誕生を記念して製作された誕生こけしとの間が、共感呪術の法則が機能する要因（紐帯）により結び付けられている携行小物であり、当該誕生こけしから取り外して当該誕生こけしの所有者（保持者）が携行することが可能である携行小物を持つことを特徴とする通常携行することが困難である高さ及び又は重さを有する同行する誕生こけし。
【００１９】
２．「通常携行することが困難である高さ及び又は重さを有する同行する誕生こけし」が、「大きさが、出生時の身長にほゞ等しく設定されているこけし」「重さが、出生時の体重にほゞ等しく設定されているこけし」「大きさが、出生時の身長にほゞ等しく、且つ、重さが、出生時の体重にほゞ等しく設定されているこけし」、「出生時の身長及び／又は体重にほゞ等しくは設定されてはいないが、通常サイズのこけしよりも（携行が困難な程に）３０ｃｍ以上の高さ及び／又は３ｋｇ以上の重さに設定されているこけし」であり、フレーザーの云う共感呪術の法則が機能する要因（紐帯）においてこけしの所有者（保持者）と結び付けられたこけしであることを特徴とする前記１に記載の同行する誕生こけし。
【００２０】
３．携行小物が、巾着などの袋物（容器）であり、共感呪術の法則が機能する要因（紐帯）が収納されているものであることを特徴とする前記１又は２に記載の同行する誕生こけし。
【００２１】
４．共感呪術の法則が機能する要因（紐帯）が、当該誕生こけしの写真、ミニチュアであることを特徴とする前記１〜３のいずれかに記載の同行する誕生こけし。
【００２２】
５．携行小物が、携帯電話のストラップないし根付として構成されていることを特徴とする前記１〜４のいずれかに記載の同行する誕生こけし。
【発明の効果】
【００２３】
本発明によれば、出生時の身長及び／又は体重にほゞ等しく設定されている上述の如く定義された「誕生こけし」に対して、「携行小物」をフレーザーの云う共感呪術の法則が機能する要因（物）において結び付けることにより、「誕生こけし」の保持者（所有者）が、常に当該「誕生こけし」と共にあることを可能とするものであり、頭記した課題が解決される。
【発明を実施するための最良の形態】
【００２４】
添付の図面に従って本発明を詳細に説明する。
図１に符号１０で示されている「こけし」は、「誕生こけし」として定義されているものの１種である。即ち、「誕生こけし」は、「フレーザーの云う共感呪術の原理により、保持者（所有者）と結び付けられたこけし」であり、共感呪術の法則が機能する要因（物）としては、フレーザーが挙げている例、例えば、「臍の緒又は後産或いはこれらの１部」に限定されるのではなく、「（誕生時の）写真、爪、体毛、頭髪（の１部）」、更には、「誕生時の身長、体重、日付、場所（誕生地）、父母名、贈り主名、及びこれらの１部又は幾つかの組み合わせ」などを列挙することができる。
【００２５】
従って、厳格な意味での「誕生こけし」は、「臍の緒又は後産或いはこれらの１部」を収納した形の「こけし」であるが、「誕生時の写真」を収納したもの、「誕生時の身長、体重など」を外表面に表示したもの、「長さを誕生時の身長に一致させ、重さを誕生時の体重に一致させたもの」など、共感呪術の法則が機能する要因（紐帯）において、保持者（所有者）との連続性（一体性）が認められる「こけし」がこの明細書における「誕生こけし」である。
【００２６】
本発明の課題に照らせば、誕生こけし１０は、「大きさが、出生時の身長にほゞ等しく設定されているこけし」「重さが、出生時の体重にほゞ等しく設定されているこけし」「大きさが、出生時の身長にほゞ等しく、且つ、重さが、出生時の体重にほゞ等しく設定されているこけし」、「出生時の身長及び／又は体重にほゞ等しくは設定されてはいないが、通常サイズのこけしよりも（携行が困難な程に）大きく及び／又は重く設定されているこけしであり、フレーザーの云う共感呪術の法則が機能する要因（物）において保持者（こけしの所有者）と結び付けられたこけし」である。従って、定義された「誕生こけし」であっても、小さくて軽く設定されており携行することが容易であるものは、本発明が対象とする誕生こけしではない。
【００２７】
上記から明らかなように、図１に示された誕生こけし１０は、第１義的には、高さが対象者の出生時の身長にほゞ等しく設定されているもの、重さが対象者の出生時の体重にほゞ等しく設定されているもの、高さ及び重さが対象者の出生時の身長及び体重にほゞ等しく設定されているもの、である。第２義的には、「フレーザーの云う共感呪術の原理により、共感呪術の法則が機能する要因（紐帯）、例えば、臍の緒又は後産或いはこれらの１部、（誕生時の）写真、爪、体毛、頭髪（の１部）、誕生日付、誕生地、父母名、贈り主名、及びこれらの１部又は幾つかの組み合わせ、などにより保持者（所有者）と結び付けられたこけし」の内、携行することが容易でない大きさないし重量であるものである。
【００２８】
ちなみに、図１に示されている誕生こけし１０は、高さが例えば約５０ｃｍ、重さが例えば約３ｋｇに設定されており、この高さ及び重さは、日本人男子の出生時の標準である。高さの調整は、胴部分の下端の切り詰めにより、重さの調整は、胴部分の周囲の削り込みにより行う。所謂「おしんこけし」では胴部分の内側に空洞が形成されないが、誕生こけしでは重さの調整に困難性を伴うので、補助的に胴部分の内側を空洞に形成することで、その削り込み量により重さを調整する態様であってもよい。胴部分の内側を（例え１部分であっても）空洞に形成することは、前記した紐帯を収納する部分として利用することができるので有益である。
【００２９】
図１に符号２０で示されているのは携行小物であり、誕生こけし１０との間に共感呪術の法則が機能する要因（紐帯）により連続性（一体性）が認められていることが要求されるが、その紐帯は、「誕生こけし」とその所有者（保持者）との間を呪術的に繋ぐものとは、必ずしも同一である必要はない。例えば、誕生こけし１０を、出生時の身長５０ｃｍに対応する高さと、出生時の体重３ｋｇに対応する重さに設定し、携行小物２０を、誕生こけし１０の所有者（保持者）の首に掛けることのできる長さの紐２１を持つ巾着とし、外出時には、該紐２１を首から掛けて携行し、帰宅時には該紐２１で図示のように誕生こけし１０に掛けておくものとする態様では、共感呪術の法則が機能する要因（紐帯）として誕生こけし１０を撮影した写真を利用し、該写真を巾着の中に収納しておくものとする。写真としては、誕生こけしの所有者（保持者）自身が誕生こけし１０と一緒に撮影したものであることが、より好ましい。
【００３０】
携行小物２０を、巾着などの袋物その他の容器で形成することは、前記した紐帯をその中に収納できる利点があり好ましいが、必ずしも袋物（容器）であることは要求されない。例えば、携行小物２０として数ｃｍ程度の小さな誕生こけしを設定すれば、紐２１などにより首に掛けて携行容易に構成することができる。更には、誕生こけしを模したミニチュアを１部に含む数珠を携行小物２０に設定することもでき、このような実施態様では、図１に示すような紐２１は不要となる。
【００３１】
図示のような誕生こけし１０を例えば玄関近くに安置しておくようにすれば、携行小物２０が誕生こけし１０に掛けられている場合には、当該誕生こけしの所有者（保持者）が在宅中であること、携行小物２０が外されている場合には、外出中であること、を示す目印とすることができる。  
【００３２】
上記したように、（紐２１を含む）携行小物２０をどのように設定するかは限定的ではなく、挙げられた例は例示的列挙に過ぎない。要点は、誕生こけし１０との間に共感呪術の法則が機能する要因（紐帯）が存在し、携行の容易性が認められることである。更に云えば、（紐２１を含む）携行小物２０は、携行の容易性を主眼するが、形状・色彩・文様などの点において、きれい（きもいを含む）・かわいい・おもしろいといった観念を惹起させる構成であることが好ましい。この点においては、携帯電話に多用されているストラップや根付が参考となる。然しながら、これらのストラップや根付は、そのままでは携行小物２０を構成するものではなく、誕生こけし１０との間に共感呪術の法則が機能する要因（紐帯）が存在しなければならない。従って、携帯電話のストラップに誕生こけし１０のミニチュアを取り付けた態様は本発明の１実施態様である。
【００３３】
携行小物２０は、図１に示すように、紐２１を介して誕生こけし１０の首などに掛けられており、容易に取り外すことができる構成であることが好ましいが、必ずしもこのような構成に限定されるものではなく、誕生こけしと並列的に載置されるものである構成、誕生こけしがその上に載せられるものである構成、誕生こけしの胴部分の内側に収納されるものであある構成、誕生こけしの周囲に、例えば衣のように羽織られるものである構成などであってもよい。
【００３４】
更に、図１に示す実施例では、携行小物２０として巾着の例を示したが、巾着の１部に
共感呪術の法則が機能する要因（紐帯）、例えば誕生こけしの写真やミニチュアなどを縫い込んだ構成とすることが好ましい。このように設計することにより、巾着内に物、例えば家や自動車の鍵などを収納したような場合にも、共感呪術の法則が機能する要因（紐帯）を損傷させることがない利点がある。
【００３５】
携行小物２０は、巾着の外に各種の袋物（容器）として設計でき、例えば、印籠・木竹筒・木竹筒型の水筒、矢立、箸箱などとすることができ、好ましくは、轆轤加工の手段により製造される各種のミニチュア、特に好ましくは、携行容易に設定された小型の誕生こけしである。
【図面の簡単な説明】
【００３６】
【図１】本発明の１実施例を示す概略正面図
【符号の説明】
【００３７】
１０−誕生こけし
２０−携行小物
２１−紐
【図１】
2006026062.tif 000003